(57)【要約】【課題】枚葉紙の速度が速くかつ重量が大きい場合でも、枚葉紙がナイフ式折りユニットのストッパに当たったときに枚葉紙が安定するための時間を短くし、ナイフ式折りユニットで支障のない折りを行うことができる装置を提供する。【解決手段】特にコンビネーション型折り機の中で移動する枚葉紙２を位置決めする装置１が、少なくとも１つの搬送ベルト４と少なくとも１つのローラ６とからなる。搬送ベルト４の上を、枚葉紙２が少なくとも１つのストッパ５に向って搬送される。ローラ６は、枚葉紙２を搬送ベルト４に対して押圧する。ローラ６は判型に応じて作用し、枚葉紙２の前端がストッパ５に当接したときに、安定した枚葉紙２の後端にその都度位置合わせ可能である。ローラ６は、その回転方向の逆転を防止する逆戻り防止部材９を備えている。【選択図】図１ａ
2008069013.tif 000002
【特許請求の範囲】
【請求項１】
枚葉紙（２）を少なくとも１つのストッパ（５）に向って搬送する少なくとも１つの搬送ベルト（４）と、前記枚葉紙（２）を前記搬送ベルト（４）に対して押圧し、前記枚葉紙（２）の前端（８）が前記ストッパ（５）に当接したときに、安定した前記枚葉紙（２）の後端（７）にその都度位置合わせ可能な、判型に応じて作用する少なくとも１つのローラ（６）とを有する、特にコンビネーション型折り機の中で移動する枚葉紙（２）の後端を位置決めする装置（１，１０）において、
前記ローラ（６）は、該ローラ（６）の回転方向の逆転を防止する逆戻り防止部材を備えている
ことを特徴とする、枚葉紙の後端を位置決めする装置。
【請求項２】
前記ローラ（６）は、回転可能な揺り腕（１２）を介して装置フレームに回転可能に支持されている、請求項１に記載の装置。
【請求項３】
前記ローラ（６）には、歯を備えているディスク（９）と、前記ディスク（９）と協働するラチェット（１１）とが取り付けられている、請求項１または２に記載の装置。
【請求項４】
前記ラチェット（１１）はレバー（１５）の一端部に取り付けられており、前記レバー（１５）の他端部は前記揺り腕（１２）に取り付けられている、請求項３に記載の装置。
【請求項５】
前記歯は、前記ラチェット（１１）と協働して前記ディスク（９）が一方の回転方向にのみ運動可能になるように構成されている、請求項３に記載の装置。
【請求項６】
前記揺り腕（１２）に復帰ばね（１３）が取り付けられている、請求項２に記載の装置。
【請求項７】
前記復帰ばね（１３）の降下する深さは、前記搬送ベルト（４）の下方に至る深さである、請求項６に記載の装置。
【請求項８】
前記復帰ばね（１３）の降下する深さは、前記揺り腕（１２）のボルト（１４）によって制限されている、請求項７に記載の装置。
【発明の詳細な説明】
【技術分野】
【０００１】
本発明は、請求項１の前提項に記載されている、特にコンビネーション型折り機の中で移動するシート状の物体の後端を位置決めする装置に関する。
【背景技術】
【０００２】
組み合わされたバックル式およびナイフ式の折り機、すなわち、いわゆるコンビネーション型折り機では、平行な折り目は、第１の折りステーションにおいてバックル式折りの原理で折られるのに対して、これに続く直角方向の折り目は、垂直方向に作動する折りナイフによって行われる。そのために、折られた枚葉紙は、平行折りステーションの出口の後に、直角折りステーションへ、搬送ベルトによってスリップなしに運ばれる。実際にスリップのない搬送を保証するためには、搬送される平坦な物品を押さえつけて、搬送ベルトへ垂直方向に押圧しなければならない。そのために必要な垂直方向の押圧力を生成するために、荷重球（Belastungskugel）だけでなく案内ローラも利用される。このような荷重球システムは、たとえば特許文献１から公知である。しかしながら近年では、たとえば特許文献２に記載されている案内ローラの使用が広まりつつある。このような案内ローラは、荷重球システムに比べて、たとえば案内ローラによって正確な軌道の枚葉紙案内を実現できるという特別な利点を有している。
【０００３】
ナイフ式折り機で正確な折りを実行するためには、直角折りストッパの最も近くに位置する案内ローラが正確に位置決めされていることが必要であり、すなわち、枚葉紙が前端ストッパと案内ローラの間で「自由に」位置していることが必要である。これを保証するために、案内ローラは、枚葉紙後端の上にも折り丁の上にも直接載らず、かろうじて回転できるように位置決めされなくてはならない。このような種類の装置は、特許文献３から公知である。この文献には、動いているシート状の物体を押さえつけて荷重をかける装置が提案されており、物体を押さえつけるために、１つまたは複数の案内ローラが設けられている。案内ローラを正確に位置決めするために、これらの案内ローラのうちの少なくとも１つがマークを備えている。
【０００４】
今日、通常用いられているナイフ式折り機では、枚葉紙は固定のストッパに向って最大の生産速度で移動する。この移動の運動エネルギーは、枚葉紙にばねのように張力をかけ、その後、跳ね返りとして急激に解放する。跳ね返りのときに、枚葉紙は紙の進行方向と反対向きに動き、それによって位置がもはや正確に規定されなくなる。搬送ベルトは引き続き走行しており、跳ね返った枚葉紙を再び最大の速度でストッパに向けて駆動する。ストッパの方向におけるベルトと搬送装置の力が、枚葉紙の弾性力の結果として生じる跳ね返り力よりも大きくなるまでは、枚葉紙は長い間バウンドする。ある程度時間がたつと枚葉紙は安定し、ベルトはその下を通過する。この時、枚葉紙をナイフで折ることができる。
【０００５】
不安定なまま往復運動をしている枚葉紙が平坦かつ揃えられた状態でストッパの手前に位置するために必要とする時間が、考えられる生産能力を低下させる。
【０００６】
枚葉紙が続けて跳ね返ることができるほど、枚葉紙の「バウンド」はいっそう大きくなる。これは、枚葉紙が再び前方へと進むときに、枚葉紙が新たなエネルギーの供給を受けるからである。
【０００７】
ストッパによる枚葉紙の跳ね返りを防ぐために、折り丁の最終位置を固定するためのブラシを折り丁の後端に当接させること、または、ブラシ縁部（burstenleiste）を折り丁の上面に配置することが知られている。しかしながら、折り丁の上面を制動するブラシ縁部は、単位面積当たりの重量の小さい折り丁については全く不都合である。これは、対称な構成や、それに伴う均等な制動を可能にすることが難しいからである。そのうえ、ブラシまたはブラシ縁部の調整や位置決めには時間がかかる。
【０００８】
特許文献２により公知となっている案内ローラを用いれば、既に、多くの場合に枚葉紙の「バウンド」をかなり良好に防ぐことができる。しかしながら、速度が速く、かつ紙の重量が大きい場合には、このような案内ローラの作用だけでは十分ではない。
【特許文献１】ドイツ実用新案明細書第８４０６３９１号
【特許文献２】ドイツ実用新案明細書第９３０４２８１号
【特許文献３】ドイツ実用新案明細書第２９９０４７５７号
【発明の開示】
【発明が解決しようとする課題】
【０００９】
本発明の目的は、枚葉紙の速度が速くかつ重量が大きい場合でも、枚葉紙がナイフ式折りユニットのストッパに当たったときに枚葉紙が安定するための時間を短くし、それと同時に、ナイフ式折りユニットで支障のない折りを行うことができる、新規な装置を提供することである。
【課題を解決するための手段】
【００１０】
この目的は、請求項１の特徴事項に基づく装置によって達成される。
【００１１】
有利な実施態様では、逆戻り防止部材は、案内ローラに取り付けられ、回転可能な揺り腕に取り付けられたラチェットと協働する、歯を備えているディスクからなる。この実施態様では、跳ね返った枚葉紙は、ローラと枚葉紙の間に発生する滑り摩擦に基づいて、はるかに迅速に安定（搬送ベルト上で静止）する。すなわち枚葉紙は、増大した摩擦によって制動される。
【００１２】
別の有利な実施態様では、案内ローラが支持されている揺り腕に、降下する深さが搬送ベルトの下方に至る深さである復帰ばねが取り付けられている。この復帰ばねによって、枚葉紙の跳ね返りが嵌合式に防止される。
【００１３】
その他の有利な実施態様は、従属請求項に記載されている。
【発明を実施するための最良の形態】
【００１４】
次に、本発明の実施の形態について図面を参照して説明する。
【００１５】
図３ａと図３ｂには、従来技術に基づく装置の基本的な構造が示されている。
【００１６】
ローラ６は、搬送ベルト４とともに、枚葉紙２をストッパ５に向って駆動する。枚葉紙２は突き当たり、ばねのように変形して、蓄えられたエネルギーを、搬送方向と逆向きの跳躍力として放出する。ローラ６とベルト４の間に生じる楔形は、枚葉紙を制動するためのものである。
【００１７】
今日使用されているローラ６は、枚葉紙の搬送を改善して跡がつかないようにするために、きわめて軽くなっており、非常に小さい質量しか有していない。これは枚葉紙の搬送時における利点であり、枚葉紙を制動するときには欠点となる。跳ね返った枚葉紙２が丸く膨らんで、ローラ６を持ち上げる。ローラ６は転がり抵抗と質量をほとんど有していないので、回転方向が逆転する。枚葉紙２は転がり摩擦によってしか制動されなくなる。持ち上げられるのを防ぐためにローラ６を強く押圧すると、多くの場合、枚葉紙２に跡がついてしまう。このような跡は好ましくなく、回避すべきものである。
【００１８】
図１ａと図１ｂには、本発明による第１の実施形態が示されている。
【００１９】
ローラ６は揺り腕１２に支持されている。揺り腕１２は、図示しないフレームに回転可能に支持されており、ばねにより下方に向って付勢されている。枚葉紙が枚葉紙進行方向（矢印Ｔ）に搬送されると、ローラ６は、少し持ち上げられ、枚葉紙２を前方に向けて駆動し、折り丁の後端が通り過ぎるとベルト４の上に再び下りる。ローラ６には、回転方向の逆転を不可能にする装置が取り付けられている。これは本実施形態では、歯を備えているディスク９と、レバー１５の一端部に取り付けられたラチェット１１である。レバー１５は、他端部において揺り腕１２に取り付けられている。歯の形状は、ローラ６が枚葉紙進行方向にのみ回転することを可能にする。跳ね返った枚葉紙２は依然としてローラ６を持ち上げるが、ローラ６の回転方向が逆転することはあり得ない。枚葉紙２は、転がり摩擦によってではなく、ローラと折り丁との間の滑り摩擦によって制動される。滑り摩擦のほうが係数（Faktor）３の分だけ大きい。
【００２０】
図２ａと図２ｂには、本発明による別の実施形態が示されている。
【００２１】
揺り腕１２には復帰ばね（Ruckschlagsfeder）１３が取り付けられている。枚葉紙が枚葉紙進行方向に搬送されると、ばねが持ち上げられて、枚葉紙を通過させる。枚葉紙の後端が復帰ばねを通り過ぎると、復帰ばねは降下し、ストッパはベルト４よりも下方まで降下して、それによって、跳ね返った枚葉紙を通過させなくする。ばね１３の降下する深さは、ボルト１４によって、下に向かう方向に関して制限されている。ばねのストッパは、ローラの接触点の直前に取り付けられている。したがって、ローラをいっそう容易に位置決めすることができ、復帰ばねは、枚葉紙が戻ってくる前に下方に向って揺動することができる。
【００２２】
いずれの実施形態でも、処理速度が速く、重い枚葉紙の場合でも、確実な制動と位置決めが保証される。
【図面の簡単な説明】
【００２３】
【図１ａ】本発明による第１の装置を示す側面図である。
【図１ｂ】本発明による第１の装置を示す斜視図である。
【図２ａ】本発明による別の装置を示す側面図である。
【図２ｂ】本発明による別の装置を示す斜視図である。
【図３ａ】従来技術に基づく基本的な装置を示す側面図である。
【図３ｂ】従来技術に基づく基本的な装置を示す斜視図である。
【符号の説明】
【００２４】
１，１０  装置
２  枚葉紙
４  搬送ベルト
５  ストッパ
６  ローラ
７  枚葉紙後端
８  枚葉紙前端
９  歯を備えているディスク
１１  ラチェット
１２  揺り腕
１３  復帰ばね
１４  ボルト
１５  レバー
Ｔ  枚葉紙進行方向
【図１ａ】
2008069013.tif 000003
【図１ｂ】
2008069013.tif 000004
【図２ａ】
2008069013.tif 000005
【図２ｂ】
2008069013.tif 000006
【図３ａ】
2008069013.tif 000007
【図３ｂ】
2008069013.tif 000008